【事件の表示】
　特願２００２−３７３４０４号「コネクタ」拒絶査定不服審判事件〔平成１６年７月２２日出願公開、特開２００４−２０６９８７号〕について、次のとおり審決する。
【結　論】
　本件審判の請求は、成り立たない。
【理　由】
　
１．手続の経緯・本願発明
　
　本件審判請求に係る出願（以下「本願」という。）は、平成１４年１２月２５日に出願されたものであり、平成１８年４月２０日付けで拒絶査定（同年５月９日発送）され、これに対し、同年６月８日に拒絶査定不服審判が請求されるとともに、同年７月６日付けで手続補正がなされたが、この手続補正は、当審による平成２０年８月７日付けの補正却下の決定により却下され、同日付けの当審による拒絶理由通知に対し、同年１０月９日付けで手続補正がなされたものである。
　
　したがって、本願の特許請求の範囲の請求項１に係る発明は、平成２０年１０月９日付け手続補正により補正された特許請求の範囲の請求項１に記載された、次のとおりのものである。（以下「本願発明」という。）
「フレキシブルプリント基板（ＦＰＣ）と着脱自在に嵌合するコネクタであって、前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板に前記コンタクトを押圧する回動部材とを備えるコネクタにおいて、
　前記ハウジングには前記嵌合口側に前記フレキシブルプリント基板を誘う凹部を設け、
　前記フレキシブルプリント基板の表裏両面に接触部がある時に、２種類のコンタクトを用いるとともに２種類の前記コンタクトを１対とし、１対の前記コンタクトを同一の挿入溝内に接触部が対向するようにハウジングへの挿入方向を互い違いに変えて千鳥に配置し、
　一方の前記コンタクトは倒略ｈ形状をし、前記コンタクトは前記ハウジングの嵌合口の反対側から挿入するとともに前記コンタクトの接触部が前記フレキシブルプリント基板の表面の接触部に接触し、前記コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設けるとともに前記押受部の先端に膨れを防ぐための突出部を設け、
　もう一方の前記コンタクトは倒略Ｉ字形状をし、前記コンタクトは前記ハウジングの嵌合口側より挿入するとともに前記コンタクトの接触部が前記フレキシブルプリント基板の裏面の接触部に接触するようにし、前記コンタクトは接触部と接続部とを有するとともに前記接続部が前記ハウジングの凹部内に入るように配置し、
　前記回動部材には長手方向に連設した細長形状の押圧部を設けるとともに前記回動部材が開いた状態で一方の前記コンタクトの押受部が入る係止孔を設け、前記押圧部が一方のコンタクトの接続部と押受部との間で回動自在に回動するように前記回動部材を前記ハウジングに装着し、
　前記回動部材の押圧部が一方の前記コンタクトの接続部と押受部との間で回動すると、前記押受部が前記押圧部によって押し上げられることで前記支点部を支点にし、前記弾性部が一方の前記コンタクトの接触部側に傾くことによって、一方の前記コンタクトの接触部が、前記フレキシブルプリント基板側に押圧されて、一方の前記コンタクトの接触部ともう一方の前記コンタクトの接触部とで挟持することを特徴とするコネクタ。」
　
　
　
２．引用例に記載された事項
　
（１）当審による拒絶理由通知において引用した、本願出願前に頒布された刊行物である特開２００２−１９０３６０号公報（以下「引用例１」という。）には、図面とともに次の技術事項が記載されている。
　
a.「表裏に多数のプリント配線端子が配置された端子部を備えるプリント配線基板が挿入される基板挿入溝を有するハウジングを備え、該ハウジングの基板挿入溝内に前記プリント配線端子の表裏方向で対向し、前記プリント配線基板の端子部を挟持する接触片を多数並べて備えてなるプリント配線板用コネクタにおいて、前記対向した一方の接触片を挟持動作用接触片とし、該挟持動作用接触片と対向する位置にある他方の接触片を対向側接触片として別個に形成し、前記挟持動作用接触片を前記基板挿入溝内に挿入された前記プリント配線基板の端子部を挟持する側に動作させる挟持動作手段を備え、前記各接触片に端子片部をそれぞれ一体に形成し、該各端子片部を前記ハウジング外に突出させたことを特徴としてなるプリント配線板用コネクタ。」（【請求項１】）
　
b.「ＦＰＣ２は、図８に示すように、その端部の表裏にプリント配線端子１０，１０…が千鳥状に配置された端子部１１を備えて構成されている。
　プリント配線板用コネクタ１は、ＦＰＣ２が挿入される基板挿入溝３を有するハウジング４を備え、その基板挿入溝３内には、ＦＰＣ２のプリント配線端子１０，１０…の配列に合わせて、挟持動作用接触片１２と対向側接触片１３とがＦＰＣの表裏方向に対向して多数並べられている。また、このコネクタ１は、挟持動作用接触片１２を挟持する側に動作させる挟持動作手段１４を備えて構成されている。
　挟持動作用接触片１２は、図５に示すように、先端の接点部分２５においてプリント配線端子１０に接触する接触部２０と、ハウジング４に対して固定される固定片部２１と、接触部２０と固定片部２１とを連結する弾性変形可能な連結部２２と、接触部２０の後端側に、前記固定片部２１と平行配置の被操作片部２３と、固定片部２１の後端側に突設された端子片部２４とが金属材をもって一体に形成されている。」（段落【0010】〜【0012】）
　
c.「また、この挟持動作用接触片１２は、接触部２０の長さが異なるものが２種類用意され、この接触部２０の長さが異なるもの１２ａ，１２ｂを交互に並べることにより、接点部分２５がＦＰＣ２のプリント配線端子１０のパターンに対応して千鳥配置に配置される。
　図７に示すように、対向側接触片１３も挟持動作用接触片１２と同様に、接点部分２５を千鳥配置とするために２種類用意され、両対向側接触片１３ａ，１３ｂは、挟持動作用接触片１２の接触部と対向する接触部２０（「２６」の誤記と認める）と、ハウジング４に対して固定される固定片部２７と、固定片部２７から突設された端子片部２８とを備えて構成されている。」（段落【0013】〜【0014】）
　
d.「ハウジング４は、合成樹脂をもって偏平な直方体状に成形されており、ハウジング４の正面側には、横長の基板挿入溝３がＦＰＣの端子部１１が差し込まれるように正面側に開口して形成されている。
　基板挿入溝３のＦＰＣ２の表裏方向で対向する面の表側の面には、挟持動作用接触片１２の接触部が挿入される挟持動作用接触片挿入溝１８，１８…が後方の開口部１５と連通して形成され、また、図４、図６に示すように、ハウジング４の下寄り部分には、動作用接触片挿入溝１８と平行な位置に挟持動作用接触片１２の固定片部２１の側部が保持される固定片部保持溝４ｃ，４ｃ…が並列で形成されている。また、基板挿入溝３の裏側の面には、対向側接触片１３が挿入保持される対向側接触片保持溝１９，１９…が前方に開口されて形成されている。」（段落【0017】〜【0018】）
　
e.「操作子１６は、横長の棒状に形成され、その先端部両側端には回動軸部２９が突設されている。そして、ハウジング４の背面両側端部には、凹形の回動支持部１７が設けられており、操作子１６は回動軸２９を回動支持部１７に挿入してハウジング４の背面側に装着され、回動軸２９を中心にして、図４（Ｂ）、図６（Ｂ）に示す解除位置と図４（Ａ）、図６（Ａ）に示す接続位置とに回動自在になっている。・・・
　そして、操作子１６の先端部には押圧部３１が設けられており、押圧部３１は、操作子１６を回動させることにより、挟持動作用接触片１２の被操作片部２３と固定片部２１との間を挿入自在となっている。操作子１６が接続位置のとき、図４（Ａ）、図６（Ａ）に示すように、押圧部３１は、挟持動作用接触片１２の固定片部２１と被操作片部２３との間に挿入され、被操作片部２３を上方に押圧し、それに連動して接触部２０が基板挿入溝３に対して下方に突出されるようになっている。」（段落【0021】〜【0022】）
　
f.「プリント配線板用コネクタ１にＦＰＣ２を接続するには、図４（Ｂ）、図６（Ｂ）に示すように、操作子１６を解除位置にした状態で、ＦＰＣ２の端子部１１を基板挿入溝３に差し込み、次に、片手でＦＰＣ２を借り（「仮」の誤記と認める）保持しながら、図４（Ａ）、図６（Ａ）に示すように、操作子１６を接続位置に回動させる。
　操作子１６を接続位置に回動させると、全ての挟持動作用接触片１２が、連結部２２の弾性をもって被操作片部２３が上方に付勢されて、接触部２０を基板挿入溝３に対して下方に突出させることにより、挟持動作用接触片１２の接触部２０の接点部分２５とＦＰＣ２上面のプリント配線端子１０とを、対向側接触片１３の接触部２０とＦＰＣ２下面のプリント配線端子１０とを圧接して、ＦＰＣ２上下面の多数のプリント配線端子１０が一括して接続されると共に、挟持動作用接触片１２と対向側接触片１３とにより確実に挟持される。
　また、ＦＰＣ２を取り外す際には、操作子１６を解除位置に回動させた状態にして、ＦＰＣ２を基板挿入溝３から抜き出せば、容易に取り外すことができる。」（段落【0024】〜【0026】）
　
g.「本発明に係るプリント配線板用コネクタは、・・・ＦＰＣ等とコネクタとの接続が容易に行うことができ、また、挟持動作用接触片と対向側接触片とを独立したものとしたことにより、ＦＰＣの１ピッチ間に独立した２回路を形成することができ、同じスペースのＦＰＣに比べ２倍の接触部が得られ、省スペース化に役立つ。また、多極化にも有効である。
　挟持動作用接触片は、接触部をハウジングに対して固定される固定片部に対して弾性変形可能な連結部を介して一体となし、該接触部の後端側に、前記固定片部と平行配置の被操作片部を一体に突設し、該被操作片部と前記固定片部間に操作子を挿入自在にすることにより、操作性が向上し、ＦＰＣ等とコネクタの接続が容易となる。
　ハウジングに対し、挟持動作用接触片を基板挿入溝開口面とは反対側から挿入させるとともに、対向側接触片を前記基板挿入溝開口面側から挿入したことにより、容易に上下に独立した接触片を挿入する事ができ、上下方向の省スペース化にも有効となる。
　長さの異なった２種類の挟持動作用接触片を使用し、互いに隣り合う挟持動作用接触片の長さを違えて先端の接触部を千鳥状配置とし、該各接触部と対向する位置にそれぞれ対向側接触片の接触部を位置させることにより、ＦＰＣ１ピッチ間の間隔を狭めることができ、省スペース、小型化に有効である。」（段落【0028】〜【0031】）
　
　また、引用例１の図１,４を参照すると、ハウジング4には、基板挿入溝3開口側にＦＰＣ2を誘う凹部が設けられている。
　
　上記記載事項及び図１〜８を総合すると、引用例１には、次の発明（以下「引用発明１」という。）が記載されていると認められる。
　
「ＦＰＣ2と着脱自在に嵌合するプリント配線板用コネクタであって、ＦＰＣ2と接触する接点部分をそれぞれ有する所要数の挟持動作用接触片12及び対向側接触片13と、これら挟持動作用接触片12及び対向側接触片13が保持・固定されるとともにＦＰＣ2が挿入される基板挿入溝3開口を有するハウジング4と、ＦＰＣ2に挟持動作用接触片12及び対向側接触片13を押圧する操作子16とを備えるプリント配線板用コネクタにおいて、
　ハウジング4には基板挿入溝3開口側にＦＰＣ2を誘う凹部を設け、
　ＦＰＣ2の表裏両面にプリント配線端子10,10,・・・がある時に、挟持動作用接触片12と対向側接触片13の２種類の接触片を用いるとともに２種類の接触片を１対とし、１対の挟持動作用接触片12及び対向側接触片13を、それぞれ、基板挿入溝3の表側の面に形成された挟持動作用接触片挿入溝18及び裏側の面に形成された対向側接触片保持溝19内に、各々の接触部20,26の接点部分が対向するようにハウジング4への挿入方向を互いに変えて千鳥に配置し、
　挟持動作用接触片12はハウジング4の基板挿入溝3開口の反対側から挿入するとともに挟持動作用接触片12の接触部20の接点部分がＦＰＣ2の表面のプリント配線端子10に接触し、挟持動作用接触片12には、接触部20と、固定片部21及び端子片部24との間に弾性変形可能な連結部22を設けるとともに接触部20と連結部22と固定片部21と端子片部24とを略クランク形状に配置し、かつ、固定片部21と対向する位置に連結部22から延設された被操作片部23を設け、
　対向側接触片13はハウジング4の基板挿入溝3開口側より挿入するとともに対向側接触片13の接触部26の接点部分がＦＰＣの裏面のプリント配線端子10に接触するようにし、対向側接触片13は接触部26と端子片部28とを有し、
　操作子16には長手方向に連設した押圧部31を設け、押圧部31が挟持動作用接触片12の固定片部21と被操作片部23との間で回動自在に回動するように操作子16をハウジング4に装着し、
　操作子16の押圧部31が挟持動作用接触片12の固定片部21と被操作片部23との間で回動すると、被操作片部23が押圧部31によって押し上げられることで、弾性変形可能な連結部22によって、挟持動作用接触片12の接触部20の接点部分が、ＦＰＣ2側に押圧されて、挟持動作用接触片12の接触部20の接点部分と対向側接触片13の接触部26の接点部分とで挟持する、プリント配線板用コネクタ。」
　
　
（２）同じく引用した、本願出願前に頒布された刊行物である特開２００２−２７０２９０号公報（以下「引用例２」という。）には、図面とともに次の技術的事項が記載されている。
　
h.「前記第１の従来のＦＰＣ用コネクタでは、アクチュエータ７３のカム部７３ａが各コンタクト７１のばね部７１ｄの後端と接する部分以外では、アクチュエータ７３と各コンタクト７１とが干渉しないようにしなければならないので、アクチュエータ７３を大きく回転することができない。したがって、アクチュエータ７３の小さい角度の回転により、アクチュエータ７３のカム部７３ａと各コンタクト７１のばね部７１ｄの後端との間に所要の接触力を得なければならないため、アクチュエータ７３の回転に大きい操作力を必要とする。また、アクチュエータ７３による各コンタクト７１の接触部７１ａの移動量が小さいため、アクチュエータ７３と各コンタクト７１の寸法のばらつきが接触力を大きくばらつかせるので、コネクタの信頼性が低下する。
　更に、前記第２の従来のＦＰＣ用コネクタでは、回転ビーム８１ａの内側にアクチュエータ８３が取り付けられる構成であるため、コネクタを低背にすることが困難である。
　そこで、本発明は前記両従来のＦＰＣ用コネクタの欠点を改良し、アクチュエータを小さい操作力で操作でき、また、アクチュエータによるコンタクトの移動量を大きくして接続を確実に行うことができ、更に、低背のコネクタを提供しようとするものである。」（段落【0010】〜【0012】）
　
i.「図６において、コンタクト１０は、接触部１１、接触部１２、連結ばね部１３、ばね部１４及びばね部１５から偏平な略エ字形状に構成される。・・・また、ばね部１５の一端側の下面には、プリント基板６０に半田付けにより接続するための端子部１７が形成される。接触部１１とばね部１４は、１本のビームを形成し、また、接触部１２とばね部１５も、１本のビームを形成する。」（段落【0021】）
　
j.「アクチュエータ３０は、カム部３１と手指による操作部３３を有し、カム部３１と操作部３３との間に各コンタクト１０のばね部１４の先端付近１４ａが挿入脱出可能な逃げ溝３２を形成される。アクチュエータ３０は、支点３１ａを中心として図６の位置から図７の位置まで９０°右回転することができる。アクチュエータ３０が右回転するとき、カム部３１は各コンタクト１０のばね部１４と連結ばね部１３を弾性変形させる。すると、接触部１１の突起１１ａ，１１ｂと接触部１２の突起１２ａ，１２ｂとの間で、ＦＰＣ５０は挟圧される。したがって、ＦＰＣ５０の表面に形成されたパターン（図示せず）は、各コンタクト１０の端子部１７を介してプリント基板６０に接続される。突起（１１ａ，１１ｂ又は１２ａ，１２ｂ）の構成により、同一のコネクタでＦＰＣ５０の接点がプリント基板６０側にある場合と反プリント基板６０側にある場合の両方の場合に接続することができる。」（段落【0023】）
　
k.「アクチュエータに逃げ溝を設けたので、アクチュエータは、ばね部１４の先端付近１４ａを全長で逃がす必要がなく、また、回転角を大きくとることができ、操作力を小さくすることができる。」（段落【0029】）
　
　上記記載事項及び図６,７を総合すると、引用例２には、次の発明（以下「引用発明２」という。）が記載されていると認められる。
　
「ＦＰＣ50と着脱自在に嵌合するコネクタであって、所要数のコンタクト10と、ＦＰＣ50が挿入される嵌合口を有するインシュレータ20と、ＦＰＣ50にコンタクト10を押圧するアクチュエータ30とを備えるＦＰＣ用コネクタにおいて、
　コンタクト10はインシュレータ20の嵌合口の反対側から挿入するとともにコンタクト10の接触部11がＦＰＣ50の表面の接点に接触し、コンタクト10には、接触部11と、ばね部15及び端子部17との間に、連結ばね部13を設けるとともに、接触部11と連結ばね部13とばね部15と端子部17とを略クランク形状に配置し、ばね部15と対向する位置に連結ばね部13から延設されたばね部14を設け、
　アクチュエータ30には長手方向に連設した細長形状のカム部31を設けるとともにアクチュエータ30が開いた状態でコンタクト10のばね部14の先端付近14aが入る逃げ溝32を設け、カム部31がコンタクト10のばね部15とばね部14との間で回動自在に回動するように、アクチュエータ30をインシュレータ20に装着し、
　アクチュエータ30のカム部31がコンタクト10のばね部15とばね部14との間で回動すると、ばね部14がカム部31によって押し上げられることで連結ばね部13が弾性変形することによって、コンタクト10の接触部11がＦＰＣ50側に押圧されて、コンタクト10の接触部11,12でＦＰＣ50を挟持する、ＦＰＣ用コネクタ。」
　
　
　
３．対比
　
　本願発明と引用発明１とを比較する。
　
　引用発明１における「ＦＰＣ2」は、本願発明における「フレキシブルプリント基板」に相当し、同様に、「プリント配線板用コネクタ」は「コネクタ」に、「接点部分」は「接触部」に、「挟持動作用接触片12及び対向側接触片13」は「２種類のコンタクト」に、「基板挿入溝3開口」は「嵌合口」に、「操作子16」は「回動部材」に、「ＦＰＣ2の表裏両面のプリント配線端子10」は「フレキシブルプリント基板の表裏両面の接触部」に、「挟持動作用接触片12」は「一方のコンタクト」に、「接触部26の接点部分」は「一方のコンタクトの接触部」に、「弾性変形可能な連結部22」は「弾性部」に、「被操作片部23」は「押受部」に、「対向側接触片13」は「もう一方のコンタクト」に、「接触部26の接点部分」は「もう一方のコンタクトの接触部」に、「端子片部28」は「もう一方のコンタクトの接続部」に、それぞれ相当する。
　
　また、本願発明における「挿入溝」とは、平成２０年１０月９日付け手続補正書により補正された明細書の段落【0016】に記載の、「所要数のコンタクト14,16が装着される挿入溝28」を指すものと解されるところ、本願の図１〜３には、一対のコンタクト14,16のうち、一方のコンタクト14がハウジングの嵌合口24の表側の面に形成された挿入溝28に装着され、もう一方のコンタクト16がそれに対向するように配置されたものが示されていることから、本願発明における「一対のコンタクトを同一の挿入溝内に・・・配置」との発明特定事項は、このような配置を指すものと解される。
　よって、引用発明１における「１対の挟持動作用接触片12及び対向側接触片13を、それぞれ、基板挿入溝3の表側の面に形成された挟持動作用接触片挿入溝18及び裏側の面に形成された対向側接触片保持溝19内に・・・対向するように・・・配置」は、本願発明における「一対のコンタクトを同一の挿入溝内に・・・配置」に相当するものである。
　
　さらに、本願発明における「２種類のコンタクトを一対とし、一対のコンタクトを・・・接触部が対向するようにハウジングへの挿入方向を互い違いに変えて千鳥に配置」とは、同明細書の段落【0013】,【0021】及び図５,６を参照すれば、「２種類のコンタクトの接触部の位置を変えたものを使用し、接触部が相違する各コンタクトを千鳥に配置」するとの意であると解されるから、引用例１に記載された、「２種類用意された挟持動作用接触片12を交互に並べて接触部20の接点部分を千鳥配置に配置し、対向側接触片13も２種類用意されて接触部26の接点部分が千鳥配置され、挟持動作用接触片12の接触部20の接点部分と対向側接触片13の接触部26の接点部分が対向する」（上記「２．（１）」の摘記事項c及び図１,４,６参照）構成も、本願発明でいう「一対のコンタクトを・・・接触部が対向するようにハウジングへの挿入方向を互い違いに変えて千鳥に配置」する構成であると言える。
　したがって、引用発明１の「１対の挟持動作用接触片12及び対向側接触片13を・・・各々の接触部20,26の接点部分が対向するようにハウジング4への挿入方向を互いに変えて千鳥に配置」は、本願発明における「一対のコンタクトを・・・接触部が対向するようにハウジングへの挿入方向を互い違いに変えて千鳥に配置」に相当している。
　
　そして、本願発明の「一方のコンタクト」が「倒略ｈ形状」であることについて、同明細書の段落【0018】に「一方の前記コンタクト１４は、図４（Ａ）のように倒略ｈ形状をしており、主にＦＰＣ２２と接触する接触部３０と基板に接続する接続部３４とハウジング１２に固定する固定部３６と前記接触部３０と前記接続部３６（「固定部３６」と「接続部３４」のいずれの誤記であるか不明）との間に設けられた弾性部４０及び支点部３８と前記接続部３６（「固定部３６」と「接続部３４」のいずれの誤記であるか不明）と対向する位置に前記弾性部４０から延設された押受部３２とを備えている。」と記載されていることより、「一方のコンタクト」が、「接触部３０」、「押受部３２」、「弾性部４０」、「支点部３８」、「固定部３６」及び「接続部３４」によって「倒略ｈ形状」とされているとの意であると解されるから、引用例１の図４に記載のような形状の、「接触部20」、「被操作片部23」、「連結部22」、「固定片部21」及び「端子片部24」からなる「挟持動作用接触片12」も、本願発明の「一方のコンタクト」と同じく、「倒略ｈ形状」であると言える。
　また、本願発明の「一方のコンタクト」の「支点部」とは、上記明細書の記載及び図４（Ａ）より、弾性部40と固定部36との交点部分を指すものと解されるから、引用例１の図４を参照すれば、引用発明１も、連結部22と固定片部21との交点部分に、本願発明における「支点部」に相当する部分を有しているものである。
　さらに、本願発明は、「接続部と対向する位置に・・・押受部を設ける」との発明特定事項と、「押圧部が一方のコンタクトの接続部と押受部との間で回動自在に回動する」との発明特定事項とを備えているところ、本願の図３,４（Ａ）をみると、「押受部32」は「接続部34」でなく「固定部36」と対向する位置に延設され、「押圧部50」は「接続部34と押受部32との間」でなく「固定部36と押受部32との間」で回動するものであるから、上記明細書の記載及び図面を参酌すれば、本願発明でいう「接続部」とは、本願明細書及び図面における「接続部34」と「固定部36」を合わせた部分を指すものと解される。したがって、引用発明における「固定片部21」及び「端子片部24」は、本願発明の「接続部」に相当するものであると言える。
　
　加えて、引用例１には、操作子16（回動部材）の押圧部31が回動して被操作片部23（押受部）を押し上げたとき、弾性変形可能な連結部22（弾性部）が、連結部22と固定片部21との交点部分（支点部）を支点にして挟持動作用接触片12（一方のコンタクト）の接触部20の接点部分（接触部）側に傾くものであるか否かについて明記はされていないが、このとき、該交点部分を支点にして、連結部22が接触部20の接点部分側に傾くことによって、接触部20の接点部分がＦＰＣに押圧されることは、当業者にとって自明の技術的事項である。
　
　すると、本願発明と引用発明１とは、次の一致点及び相違点を有するものである。
　
＜一致点＞
　フレキシブルプリント基板（ＦＰＣ）と着脱自在に嵌合するコネクタであって、前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板に前記コンタクトを押圧する回動部材とを備えるコネクタにおいて、
　前記ハウジングには前記嵌合口側に前記フレキシブルプリント基板を誘う凹部を設け、
　前記フレキシブルプリント基板の表裏両面に接触部がある時に、２種類のコンタクトを用いるとともに２種類の前記コンタクトを１対とし、１対の前記コンタクトを同一の挿入溝内に接触部が対向するようにハウジングへの挿入方向を互い違いに変えて千鳥に配置し、
　一方の前記コンタクトは倒略ｈ形状をし、前記コンタクトは前記ハウジングの嵌合口の反対側から挿入するとともに前記コンタクトの接触部が前記フレキシブルプリント基板の表面の接触部に接触し、前記コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、
　もう一方の前記コンタクトは前記ハウジングの嵌合口側より挿入するとともに前記コンタクトの接触部が前記フレキシブルプリント基板の裏面の接触部に接触するようにし、前記コンタクトは接触部と接続部とを有するとともに、
　前記回動部材には長手方向に連設した押圧部を設けるとともに、前記押圧部が一方のコンタクトの接続部と押受部との間で回動自在に回動するように前記回動部材を前記ハウジングに装着し、
　前記回動部材の押圧部が一方の前記コンタクトの接続部と押受部との間で回動すると、前記押受部が前記押圧部によって押し上げられることで前記支点部を支点にし、前記弾性部が一方の前記コンタクトの接触部側に傾くことによって、一方の前記コンタクトの接触部が、前記フレキシブルプリント基板側に押圧されて、一方の前記コンタクトの接触部ともう一方の前記コンタクトの接触部とで挟持することを特徴とするコネクタ。
　
＜相違点＞
1)「もう一方のコンタクト」が、本願発明では「倒略Ｉ字形状」をしている
　のに対し、引用発明１ではそのような形状とされていない点。
2)「もう一方のコンタクト」の「接続部」が、本願発明ではハウジングの凹
　部内に入るように配置されているのに対し、引用発明１ではハウジング外
　に突出させてある点。
3)回動部材に、本願発明では「細長形状の押圧部」と、回動部材が開いた状
　態で一方のコンタクトの押受部が入る「係止孔」が設けられているのに対
　し、引用発明１ではそのような「細長形状の押圧部」と「係止孔」が設け
　られていない点。
4)「一方のコンタクト」が、本願発明では「押受部の先端」に「突出部」が
　設けられており、この「突出部」が係合することによって、係止孔を備え
　た回動部材の中央部の「膨れを防ぐ」のに対し、引用発明１ではそのよう
　な「突出部」を有していない点。
　
　
　
４．当審の判断
　
　上記相違点について検討する。
　
＜相違点1)について＞
　表裏両面に接触部があるフレキシブルプリント基板の、裏面の接触部に接触するコンタクトを倒略Ｉ字形状とすることは、当該技術分野において周知の技術的事項であるから（例えば特開平９−１７１８５８号公報の図13,16参照）、引用発明１における、フレキシブルプリント基板の裏面の接触部に接触するもう一方のコンタクトとして、倒略Ｉ字形状のものを採用することに、格別の困難性は見出せない。
　また、本願発明において、もう一方のコンタクトを倒略Ｉ字形状としたことにより奏される、２つの接触部でフレキシブルプリント基板を挟持した際に安定するとの効果、及び、コネクタ全体が低背化するとの効果（平成２０年１０月９日付け意見書の第14頁第３〜８行参照）も、倒略Ｉ字形状のコンタクト自体の本来的な効果に過ぎず、該周知の技術的事項を採用したことにより、本願発明が引用発明に比し格別の効果あるいは相乗効果を奏するものとは認められない。
　
　
＜相違点2)について＞
　フレキシブルプリント基板が挿入される嵌合口側に位置するコンタクトの接続部を、ハウジングから突出しないようにすることは当該技術分野において周知の技術的事項であり（例えば特開平１１−５４２２０号公報の図１,３参照）、本願発明において、もう一方のコンタクトの接続部をハウジングの凹部内に入るように配置した点は、当業者であれば適宜為し得る設計的事項である。
　
　
＜相違点3)について＞
　本願発明と引用発明２とを比較すると、引用発明２における「インシュレータ20」は、本願発明における「ハウジング」に相当し、同様に、「アクチュエータ30」は、「回動部材」に、「ＦＰＣ50の接点」は「フレキシブルプリント基板の接触部」に、「ばね部15」及び「端子部17」は「接続部」に、「連結ばね部13」は「弾性部」に、「ばね部14」は「押受部」に、「カム部31」は「押圧部」に、「逃げ溝32」は「係止孔」に、それぞれ相当する。
　すると、引用発明２は、本願発明の用語を用いると次のようになる。
「フレキシブルプリント基板（ＦＰＣ）と着脱自在に嵌合するコネクタであって、所要数のコンタクトと、フレキシブルプリント基板が挿入される嵌合口を有するハウジングと、フレキシブルプリント基板にコンタクトを押圧する回動部材とを備えるコネクタにおいて、
　コンタクトはハウジングの嵌合口の反対側から挿入するとともにコンタクトの接触部（11）がフレキシブルプリント基板の表面の接触部に接触し、コンタクトには接触部（11）と接続部との間に弾性部を設けるとともに、接触部（11）と弾性部と接続部とを略クランク形状に配置し、接続部と対向する位置に弾性部から延設された押受部を設け、
　回動部材には長手方向に連設した細長形状の押圧部を設けるとともに回動部材が開いた状態でコンタクトの押受部が入る係止孔を設け、押圧部がコンタクトの接続部と押受部との間で回動自在に回動するように、回動部材をハウジングに装着し、
　回動部材の押圧部がコンタクトの接続部と押受部との間で回動すると、押受部が押圧部によって押し上げられることで弾性部が弾性変形することによって、コンタクトの接触部（11）がフレキシブルプリント基板側に押圧されて、コンタクトの接触部（11,12）でフレキシブルプリント基板を挟持する、コネクタ。」
　
　そして、上記「２．（２）」の摘記事項h,kを参照すると、引用発明２は、図８,９に記載の、係止孔が設けられていない回動部材（アクチュエータ）を備えた従来のコネクタにおける、大きい操作力を必要とするという課題、コンタクトの接触力のばらつきによりコネクタの信頼性が低下するという課題、コネクタを低背にすることが困難であるという課題を解決するために、回動部材（アクチュエータ30）にコンタクトの押受部（ばね部14）の先端が入る係止孔（逃げ溝32）を形成したものであると理解される。
　したがって、小型化、省スペース化を課題としながらも、回動部材（操作子16）に係止孔が設けられていなかった引用発明１において、より一層のコネクタの低背化を実現するために、回動部材として、引用発明２における、細長形状の押圧部を有しコンタクトの押受部先端が入る係止孔が設けられたものを採用することは、引用例２の上記開示に基づき当業者であれば容易に想到し得るものである。
　
　
＜相違点4)について＞
　回動部材の回動により、挿入されたＦＰＣにコンタクトの接触部を押圧接触させるコネクタであって回動部材に係止孔が形成されたものにおいて、係止孔に入るコンタクトの押受部先端に突出部を設けることは、本願出願時に当該技術分野において周知の技術的事項である（例えば特開２００１−３４５１３６号公報、特開２００１−７６７９４号公報参照）。
　したがって、＜相違点3)について＞で検討したように、引用発明１において、引用発明２の係止孔が設けられた回動部材を採用する際に、上記周知の技術的事項を参酌し、係止孔に入るコンタクトの押受部先端に突出部を設けることに、格別の困難性は見出せない。
　また、コンタクトの押受部の突出部が回動部材の係止孔（押圧部）に係合することによって、回動部材の回動時に、回動部材の変形や膨れを防止できることは、当業者にとって自明の技術的事項であって、本願発明において上記周知の技術的事項を採用したことによる効果も格別のものとは言えない。
　
　
　
　そして、引用発明１に引用発明２及び周知の技術的事項を適用したことによる作用効果を全体としてみても、当業者が予測し得る程度のものであって格別のものはないから、本願発明は、引用発明１、２及び周知の技術的事項に基づいて、当業者が容易に為し得たものと言わざるを得ない。
　
　
　
５．結び
　
　以上のとおり、本願発明は、引用発明１及び引用発明２に基づいて、当業者が容易に発明をすることができたものであるから、特許法第２９条第２項の規定により、特許を受けることができない。
　よって、結論のとおり審決する。